【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】
計算機と、第一のストレージデバイスを有する第一のストレージシステムとに接続される第二のストレージシステムであって、
前記計算機と接続される第一の制御部と、
前記計算機が使用するデータを格納する第二のストレージデバイスとキャッシュメモリとを有し、前記第二のストレージデバイス及び前記キャッシュメモリへのデータの入出力を制御する第二の制御部と、
前記第一のストレージシステムと接続される第三の制御部と、
前記第一の制御部、前記第二の制御部、及び前記第三の制御部を相互に接続する相互接続網とを有し、
前記第一の制御部は、前記計算機から入出力対象のストレージデバイスを示す第一の識別情報を有する第一の入出力要求を受信し、該第一の識別情報に基づいて第二の入出力要求を前記第二の制御部若しくは前記第三の制御部のいずれに送信するかを選択することを特徴とする第二のストレージシステム。
【請求項２】
請求項１記載の第二のストレージシステムにおいて、
前記第一の識別情報が前記第二のストレージデバイスと対応付けられている場合に、前記第一の制御部は前記第一の入出力要求を、前記第二の制御部の識別情報を有する第二の入出力要求に変換して、該第二の入出力要求を前記第二の制御部に送信することを特徴とする第二のストレージシステム。
【請求項３】
請求項１記載の第二のストレージシステムにおいて、
前記第一の識別情報は前記第一のストレージデバイスと対応付けられており、  前記第一の制御部は前記第二の入出力要求を前記第二の制御部若しくは前記第三の制御部のいずれに送信するかを選択することを特徴とする第二のストレージシステム。
【請求項４】
請求項３記載の第二のストレージシステムにおいて、
前記第一の制御部は、前記第一の入出力要求に関する処理が前記第二の制御部で実行される場合に、前記第二の制御部の識別情報を有する第二の入出力要求を、前記第二の制御部に送信することを特徴とする第二のストレージシステム。
【請求項５】
請求項４記載の第二のストレージシステムにおいて、
前記第二の制御部は、前記第二の入出力要求を受信した場合に、前記第二の入出力要求を前記第一のストレージシステムの識別情報を有する第三の入出力要求に変換し、前記第三の制御部に送信することを特徴とする第二のストレージシス
テム。
【請求項６】
請求項３記載の第二のストレージシステムにおいて、
前記第一の入出力要求に関する処理が前記第二の制御部で実行されない場合に、前記第一の制御部は、前記第三の制御部の識別情報を有する第二の入出力要求を、前記第三の制御部に送信することを特徴とする第二のストレージシステム。
【請求項７】
請求項３記載の第二のストレージシステムにおいて、
前記第一のストレージデバイスに関する処理を前記第二の制御部が実行する場合に、前記第一の制御部は、前記第二の制御部の識別情報を有する第二の入出力要求を前記第二の制御部に送信することを特徴とする第二のストレージシステム。
【請求項８】
請求項３記載の第二のストレージシステムにおいて、
前記第一のストレージデバイスに関する処理が前記第二の制御部で実行されない場合に、前記第一の制御部は前記第三の制御部の識別情報を有する第二の入出力要求を、前記第三の制御部に送信することを特徴とする。
【請求項９】
請求項３記載の第二のストレージシステムにおいて、
更に前記第一の制御部、前記第二の制御部、及び前記第三の制御部を管理する構成管理部を有し、
前記構成管理部は、前記第一の識別情報と対応付けられているストレージデバイスの識別情報を管理することを特徴とする第二のストレージシステム。
【請求項１０】
請求項９記載の第二のストレージシステムにおいて、
前記構成管理部が前記第一の識別情報と対応付けて前記第一のストレージデバイスの識別情報及び前記第二の制御部の識別情報を管理している場合に、前記第一の制御部は、前記第一の入出力要求を前記第二の制御部の識別情報を有する第二の入出力要求に変換して、前記第二の制御部に送信することを特徴とするストレージシステム。
【請求項１１】
計算機と、第一のストレージデバイスを有する第一のストレージシステムとに
接続される第二のストレージシステムであって、
前記計算機と接続される第一の制御部と、
第二のストレージデバイスとキャッシュメモリとを有する第二の制御部と、
前記第一のストレージシステムと接続される第三の制御部と、
前記第一の制御部、前記第二の制御部、及び前記第三の制御部を相互に接続する相互接続網とを有し、
前記第一の制御部が前記計算機から前記第一のストレージデバイスに対する入
出力要求を受信した場合に、前記第一の制御部は、入出力要求を前記相互接続網と前記第三の制御部とを経由する第一の経路を介して前記第一のストレージシステムに送信するか、入出力要求を前記相互接続網と前記第二の制御部と前記第三の制御部とを経由する第二の経路を介して前記第一のストレージシステムに送信するかを選択することを特徴とする第二のストレージシステム。
【請求項１２】
請求項１１記載の第二のストレージシステムにおいて、
更に前記第一の制御部、前記第二の制御部、及び前記第三の制御部を管理する、前記相互接続網に接続される構成管理部を有しており、
前記第三の制御部に前記第一のストレージシステムが接続される際に、前記構成管理部は、前記第一のストレージデバイスに対する入出力要求を、前記第一の経路若しくは前記第二の経路のいずれを介して前記第一のストレージシステムに送信するかを設定することを特徴とする第二のストレージシステム。
【請求項１３】
請求項１２記載の第二のストレージシステムにおいて、
前記構成管理部は、前記第一のストレージデバイスに関する処理が前記第二の制御部で実行される場合に、入出力要求を前記第二の経路を介して前記第一のストレージシステムに送信するよう設定することを特徴とする第二のストレージシステム。
【請求項１４】
請求項１２記載の第二のストレージシステムにおいて、
前記構成管理部は、前記第一のストレージデバイスに対する入出力要求を前記第一のストレージシステムに送信するための経路を変更するよう設定することを特徴とする第二のストレージシステム。
【請求項１５】
請求項１２記載の第二のストレージシステムにおいて、
前記構成管理部は、前記第一のストレージデバイスに関する処理が前記第二の制御部で実行されない場合に、入出力要求を前記第一のストレージシステムに送信するために用いられる経路を、前記第二の経路から前記第一の経路へ変更するよう設定することを特徴とする第二のストレージシステム。
【請求項１６】
請求項１５記載の第二のストレージシステムにおいて、
前記構成管理部が、前記第一のストレージデバイスに対する入出力要求を前記第一のストレージシステムに送信するために用いられる経路を、前記第二の経路から前記第一の経路へ変更するよう設定する場合に、
前記第二の制御部は、前記キャッシュメモリに格納されている前記第一のストレージデバイスに格納されるデータを該第一のストレージデバイスに格納して、前記キャッシュメモリ上の記憶領域を開放するよう制御し、
前記キャッシュメモリ上の記憶領域が開放された後に、前記構成管理部は入出
力要求を前記第一のストレージシステムに送信するために用いられる経路を変更
することを特徴とする第二のストレージシステム。
【請求項１７】
請求項１６記載の第二のストレージシステムにおいて、
前記構成管理部が、前記第一のストレージデバイスに対する入出力要求を前記第一のストレージシステムに送信するために用いられる経路を、前記第二の経路から前記第一の経路へ変更する場合に、
前記第一の制御部は、前記第一のストレージデバイスに格納されるデータが前記キャッシュメモリに格納されている場合には、該データに対する入出力要求を前記第二の制御部へ送信し、それ以外の場合には前記第一のストレージデバイスに対する入出力要求を前記第三の制御部へ送信することを特徴とする第二のストレージシステム。
【請求項１８】
請求項１２記載の第二のストレージシステムにおいて、
前記構成管理部は、前記第一のストレージデバイスに関する処理を前記第二の制御部で実行する必要が生じた場合に、入出力要求を前記第一のストレージシステムに送信するために用いられる経路を、前記第一の経路から前記第二の経路へ変更するよう設定することを特徴とする第二のストレージシステム。
【請求項１９】
計算機に接続されるストレージシステムに他のストレージシステムを接続する方法であって、
前記ストレージシステムは、前記計算機と接続される第一の制御部と、ディスク装置及びキャッシュメモリを有する第二の制御部と、前記他のストレージシステムと接続される第三の制御部と、前記第一の制御部、前記第二の制御部、及び前記第三の制御部を管理する構成管理部と、前記第一の制御部、前記第二の制御部、前記第三の制御部、及び構成管理部を相互に接続する相互接続網とを有し、
前記他のストレージシステムを前記第三の制御部と接続するステップと、
前記第一の制御部が前記計算機から受信する前記他のストレージシステム内のストレージデバイスに格納されているデータに対する入出力要求を、前記相互接続網及び前記第三の制御部を介する第一の経路若しくは、前記相互接続網、前記第二の制御部及び前記第三の制御部を介する第二の経路のうちいずれを経由して前記他のストレージシステムに送信するかを、前記構成管理部が設定するステップとを有することを特徴とするストレージシステムの接続方法。
【請求項２０】
請求項１９記載のストレージシステムの接続方法において、
前記構成管理部は管理装置とネットワークを経由して接続されており、
前記構成管理部が、前記管理装置から接続経路の変更指示を受信するステップ
と、
前記変更指示に基づいて、前記構成管理部が、前記他のストレージシステム内のストレージデバイスに格納されているデータに対する入出力要求を送信する経路を変更するよう、設定を変更するステップを有することを特徴とするストレージシステムの接続方法。
【請求項２１】
計算機と、第一のストレージデバイスを有する第一のストレージシステムとに接続される第二のストレージシステムであって、
前記計算機と接続される第一の制御部と、
前記計算機が使用するデータを格納する第二のストレージデバイスとキャッシュメモリとを有し、前記第二のストレージデバイス及び前記キャッシュメモリへのデータの入出力を制御する第二の制御部と、
前記第一のストレージシステムと接続される第三の制御部と、
前記第一の制御部、前記第二の制御部、及び前記第三の制御部を相互に接続する相互接続網とを有することを特徴とする第二のストレージシステム。
【請求項２２】
計算機と、第一のストレージデバイスを有する第一のストレージシステムとに接続される制御システムであって、
前記計算機と接続される第一の制御部と、
前記計算機が使用するデータを格納する第二のストレージデバイスに接続され、前記第二のストレージデバイスに対するデータの入出力を制御する第二の制御部と
前記第一のストレージシステムと接続される第三の制御部とを有し、
前記第一の制御部は、前記計算機から第一の入出力要求を受信し、入出力対象のストレージデバイスを示す第一の識別情報に基づいて第二の入出力要求を前記第二の制御部若しくは前記第三の制御部のいずれに送信するかを選択することを特徴とする制御システム。